(57)【要約】      （修正有）【課題】簡易な構成で追加できるコンセントの数を効率よく増やし、しかも形状の自由度が高く安全なマルチタップセットの提供。【解決手段】立方体の一の面に、先端部に電源プラグが備えられた電源コードの基端部が接続され、三以上の面にコンセントが設けられている親マルチタップ１０と、親マルチタップ１０と略同じ大きさの立方体の一の面の略中央に電源プラグが備えられ、三以上の面にコンセントが設けられている第一の子マルチタップ２０と、親マルチタップ１０と略同じ大きさの立方体の一の面の略中央に電源プラグが備えられ、一面、又は対向しない二面に電源供給可能なＵＳＢ端子が設けられている第二の子マルチタップと、のうち、親マルチタップ１０を含む複数のマルチタップを組み合わせる。【選択図】図５
2016091863.tif 000002
【特許請求の範囲】
【請求項１】
立方体の一の面に、先端部に電源プラグが備えられた電源コードの基端部が接続され、
この面以外の五面中、前記一の面の反対側の面を含む三以上の面にコンセントが設けられている親マルチタップと、
前記親マルチタップと略同じ大きさの立方体の一の面の略中央に電源プラグが備えられ、この面以外の五面中、前記一の面を含む三以上の面にコンセントが設けられている第一の子マルチタップと、
前記親マルチタップと略同じ大きさの立方体の一の面の略中央に電源プラグが備えられ、この面以外の五面中、一面、又は対向しない二面に電源供給可能なＵＳＢ端子が設けられている第二の子マルチタップと、のうち、前記親マルチタップを含む複数のマルチタップを組み合わせることによりコンセント数及びＵＳＢ端子数の調整が可能なマルチタップセット。
【請求項２】
前記親マルチタップの電源コードの基端部は前記立方体の一の面のうち当該面が前記基端部又はコンセントのいずれも配されていない面と共有する辺の近傍に配されていることを特徴とする、請求項１に記載のマルチタップセット。
【請求項３】
前記親マルチタップにはサーキットブレーカが備えられていることを特徴とする、請求項１又は請求項２に記載のマルチタップセット。
【発明の詳細な説明】
【技術分野】
【０００１】
本発明は、家電製品等に電源を供給するために、建物の壁面、床等に固定されたコンセントから電力を取り出し、複数の電気製品に電力を供給するマルチタップを形状自在に構成することが可能なマルチタップセットに関する。
【０００２】
建物の壁面や床には、通常固定されたコンセントが設けられている。一般に家庭や施設内においては多種多様な家電製品、オーディオ製品、パーソナルコンピュータなど、電源供給が必要な電気製品が備えられる。
【０００３】
多くの家庭や施設においては、あらかじめ供えられた固定コンセントでは電源供給が必要な電気製品の数を賄うことができないため、マルチタップ（或いはケーブルタップ。ここでは「マルチタップ」の呼称で統一する。）といわれる器具によりコンセントの増設を行うことで対処している。
【０００４】
マルチタップで典型的なものとして、棒状の、複数個口のコンセントが並列設置されたものが挙げられる。また使用シーンに応じて求められる特徴も異なることから、様々なマルチタップがこれまでにも提案されている。例えば特許文献１では、使用電流が電源コードの耐用電流を超える際に作動されるアラーム、そのリセットボタン、および幾つかの差し込み口を有すると共に接続用プラグ受けを有する親コンセントと、幾つかの差し込み口を有すると共に前記プラグ受けに挿入されるプラグ端子および次段のためのプラグ受けを有する１もしくはそれ以上の子コンセントとを、セットとして備えており、前記子コンセントの差し込み口に接続される機器のプラグについての負荷も、前記親コンセント使用電流に加えられるように構成していることを特徴とする電源コード接続用コンセントセットが提案されている。これによればコンセント本体の設置場所、および、その場所での電気機器の接続数に対応して、プラグの差し口を増減できる。
【０００５】
また特許文献２においても同様に、テーブルタップと形状を統一化し、複数の連結が可能な増設用電源タップが提案されている。更に特許文献３では、ケーブルタップをコンセント毎に分割し、立方体の１つの面にプラスの一対の連結用コンセント端子を設け、この面の反対側の面にプラスのコンセント端子を受ける２対の連結用マイナスコンセント端子を交差して設け、これら２つの面に挟まれる面に電気器具等のコンセント挿入用マイナスコンセントを設けることにより複数個のケーブルタップを直列に、かつ、電気器具等のコンセント挿入用コンセント端子のある面を必要に応じて異なる面にして連結できるケーブルタップユニットが提案されている。
【先行技術文献】
【特許文献】
【０００６】
【特許文献１】特開２００３−１００４０１
【特許文献２】特開２００３−２３４１５９
【特許文献３】特開２００１−３０７８４８
【発明の概要】
【発明が解決しようとする課題】
【０００７】
しかし特許文献１ないし特許文献２で提案されているコンセントセットないし電源タップでは、増設する向きが一定にならざるを得ないため、使用場面や使用場所に応じた形状の変更を行うことができず使用場面に制約を生じてしまうことがある他、デザイン性も高いとは言えない。また特許文献３で提案されているケーブルタップでは、増設されるユニットの向きを変えることにより得られるコンセントの向きが水平面／鉛直面を選択可能である反面、一のユニットを増設して得られる追加のコンセントは一つのみであり増設の効率が悪い。
【０００８】
そこで本発明は、簡易な構成で追加できるコンセントの数を効率よく増やし、しかも形状の自由度が高く安全なマルチタップセットの提供を行うことを課題とする。
【課題を解決するための手段】
【０００９】
前記課題を解決すべく、本発明にかかるマルチタップセットは以下の構成を有する。
【００１０】
（１）本発明に係るマルチタップは、立方体の一の面に、先端部に電源プラグが備えられた電源コードの基端部が接続され、この面以外の五面中、前記一の面の反対側の面を含む三以上の面にコンセントが設けられている親マルチタップと、前記親マルチタップと略同じ大きさの立方体の一の面の略中央に電源プラグが備えられ、この面以外の五面中、前記一の面を含む三以上の面にコンセントが設けられている第一の子マルチタップと、前記親マルチタップと略同じ大きさの立方体の一の面の略中央に電源プラグが備えられ、この面以外の五面中、一面、又は対向しない二面に電源供給可能なＵＳＢ端子が設けられている第二の子マルチタップと、のうち、前記親マルチタップを含む複数のマルチタップを組み合わせることによりコンセント数及びＵＳＢ端子数の調整が可能であることを特徴とする（請求項１）。
【００１１】
このように、親マルチタップ及び第一の子マルチタップにおいては、立方体の六面中電源コードの基端部又は電源プラグが供えられた面と隣り合う四面のうちの少なくとも一面で、また第二の子マルチタップにおいては電源プラグが供えられた面と隣り合う四面のうちの少なくとも一面でコンセントが設けられていないため、使用時に当該面を底部に位置するよう置くことで埃が溜まりがちな床に設置した場合にあってもコンセントに埃が溜まることを防止することができる。また一の子マルチタップを増設することにより、さらなる増設用のコンセントを考慮しても２以上のコンセントを追加的に増やすことが可能であり、効率よくコンセントを増加することができる。増加するコンセントの方向も並列でないため、接続する機器のアダプターが大きい場合であっても互いに干渉することなく接続しうる。また子マルチタップを増設する向きの自由度が高く、使用場所に応じた形状のマルチタップセットに構成することが可能である。
【００１２】
（２）また、親マルチタップの電源コードの基端部は前記立方体の一の面のうち当該面が前記基端部又はコンセントのいずれも配されていない面と共有する辺の近傍に配されていることを特徴とすることもできる（請求項２）。このように配置することにより、何も配されていない面を底面に配した場合にコードの取り回しが煩雑にならない。
【００１３】
（３）加えて、親マルチタップにサーキットブレーカを備えることにより、複数の子マルチタップを連結した場合にもマルチタップセット全体にかかる負荷を親マルチタップにおいて監視することができるから、機器やタップの発火の危険性や定格電力を超えて家や施設のブレーカが落ちる不都合を防止することができる（請求項３）。
【００１４】
なお本発明において「立方体」とは幾何学上の厳密なものに限られず、略合同な正方形六面で囲まれた形状であればその周縁がいわゆる“面取り”されたものも含む。また「コンセント」とは電源などを供給するために、家電製品などの電気器具のプラグを接続する差し込み口、すなわちプラグ受けをいう。
【発明の効果】
【００１５】
本発明に係るマルチタップセットによれば、組み合わせる子マルチタップの種類及び数、連結する面を自由に選択することが可能となり、使用場面に適した形状及び機能のマルチタップを構成することが可能となる。また連結にあたってはその連結面を選択する余地があるばかりか、コンセントを有しない面をマルチタップの一面に集約させることができるから、この面を底面に配置することにより、床にたまりがちな埃がコンセントの孔に入り込むことを防止することができ、トラッキング現象が発生する可能性を低減させることができる。
【図面の簡単な説明】
【００１６】
【図１】本発明に係る親マルチタップの（ａ）正面図（ｂ）右側面図（ｃ）左側面図（ｄ）平面図を示したものである。
【図２】本発明に係る第一の子マルチタップの（ａ）正面図（ｂ）右側面図（ｃ）左側面図（ｄ）平面図を示したものである。
【図３】本発明に係る第二の子マルチタップの（ａ）正面図（ｂ）右側面図（ｃ）左側面図（ｄ）平面図を示したものである。
【図４】各マルチタップを連結させる形状の一例を示したものである。
【図５】各マルチタップを連結させる形状の他の一例を示したものである。
【発明を実施するための形態】
【００１７】
以下、本発明の具体的な実施例につき、図を参照しつつ説明する。なお以下の実施例は本発明の一実施例であり、これに限定する趣旨ではない。
【００１８】
図１は、本発明に係る親マルチタップ１０の（ａ）正面図（ｂ）右側面図（ｃ）左側面図（ｄ）平面図を示したものである。図示するように、六面体の各面のうち、本実施例においては３面にコンセント１１ａ〜１１ｃがそれぞれ各面（図示中、正面、平面、左側面の各面）の中央に設けられている。親マルチタップ１０は家や施設のコンセントから先端に電源プラグを有する電源コード（図示しない）を介して電源供給を受ける。電源コード基端部１２は図示中右側面の右下頂点近傍に設けられている。本実施例では底面及び背面にはコンセントが設けられていない。そのため、床とマルチタップ、或いは壁とマルチタップの間にたまりがちな埃がコンセントの孔に入り込む可能性を未然に低下することができ、トラッキング現象による火災発生などの不慮の事故発生の可能性を低減することができる。
【００１９】
なお本図に示すように、六面体の各辺及び頂点は面取りがなされている。これによりマルチタップ自体もクラックが生じにくく、また取扱いに至便である。
【００２０】
図２は、本発明に係る第一の子マルチタップ２０の（ａ）正面図（ｂ）右側面図（ｃ）左側面図（ｄ）平面図を示したものである。図示するように、六面体の各面のうち、本実施例においては３面にコンセント２１ａ〜２１ｃがそれぞれ各面（図示中、正面、平面、左側面の各面）の中央に設けられている。第一の子マルチタップ２０は右側面に電源プラグ２２が設けられており、これを介して電源供給を受ける。第一の子マルチタップ２０は親マルチタップ１０と略同じ大きさで構成されているため、親マルチタップ１０のいずれかのコンセント（１１ａ〜１１ｃ）に電源プラグ２２を接続することによりマルチタップセット全体としてコンセントの数を増設することが可能になる。
【００２１】
図３は、本発明に係る第二の子マルチタップの（ａ）正面図（ｂ）右側面図（ｃ）左側面図（ｄ）平面図を示したものである。図示するように、六面体の各面のうち、本実施例においては２面にＵＳＢ端子３１ａ、３１ｂがそれぞれ各面（図示中、平面、左側面の各面）の中央に設けられている。第二の子マルチタップ３０は右側面に電源プラグ３２が設けられており、これを介して電源供給を受ける。第二の子マルチタップは親マルチタップ１０、第一の子マルチタップ２０と略同じ大きさで構成されているため、親マルチタップ１０又は第一の子マルチタップ２０のいずれかのコンセント（１１ａ〜１１ｃ、２１ａ〜２１ｃ）に電源プラグ３２を接続することによりマルチタップセット全体としてコンセントの数を増設することが可能になる。
【００２２】
上述のようにＵＳＢ端子は六面体のうち対向しない二面に設けられている。このため、ＵＳＢケーブルを介して接続する電子機器を本マルチタップセットに接続する場合、電源プラグ３２が配されている面と平行な方向に接続ケーブルが広がり過ぎないため、使用時にも美観が損なわれることがない。
【００２３】
図４及び図５は、各マルチタップ（親マルチタップ１０、第一の子マルチタップ２０、第二の子マルチタップ３０）を複数接続した状態で構成されるマルチタップセット１を示したものである。図４においては直列に各マルチタップが接続されているのに対して図５ではＬ字型に各マルチタップが接続されている。このように、図示したものに限られず、各子マルチタップをどのコンセントに接続させるかにより任意の形状のマルチタップセット１を構成することが可能である。これによりスペースや形状に制約がある場所において電源を複数確保したい場合であっても、そのスペースや形状に応じたマルチタップセット１の組み立てが可能となるという利点がある。
【００２４】
なお親マルチタップ１０にはサーキットブレーカ（図示しない）を備えていることができる。これにより、複数の子マルチタップが接続された場合にあってマルチタップセット全体で必要な電力が所定の範囲を超えた場合に、家や施設のブレーカが落ちる前にマルチタップセットへの電力供給をストップすることができる。これにより過電流等による過加熱を原因とする火災発生の防止や、家や施設全体のブレーカが落ちることによる種々の不都合を未然に防止することができる。
【符号の説明】
【００２５】
１      マルチタップセット
１０    親マルチタップ
１１（１１ａ、１１ｂ、１１ｃ）  コンセント
１２    電源コード基端部
２０    第一の子マルチタップ
２１（２１ａ、２１ｂ、２１ｃ）  コンセント
２２    電源プラグ
３０    第二の子マルチタップ
３１（３１ａ、３１ｂ）  ＵＳＢ端子
３２    電源プラグ
【図１】
2016091863.tif 000003
【図２】
2016091863.tif 000004
【図３】
2016091863.tif 000005
【図４】
2016091863.tif 000006
【図５】
2016091863.tif 000007